(57)【要約】      （修正有）【課題】遊技を制御する制御基板を収容する制御基板ケースであり、前記制御基板ケースの開閉を規制する少なくとも１つのカシメピンが固着されるカシメ部を覆う可動式のカシメピンカバーを備えた制御基板ケースにおいて、前記制御基板ケース、カシメピンまたはおよびカシメ部に不正操作を加えるために前記カシメピンカバーが開けられた事を検知出来る制御基板ケースを提供する。【解決手段】制御基板ケース１は、前記制御基板ケースの開閉を規制する少なくとも１つのカシメピン４１が固着されるカシメ部４と、前記カシメ部４を覆う可動式のカシメピンカバー５を備え、ＩＣチップ部１１と送受信アンテナ部１２を備えたＩＣタグシール９が、前記制御基板ケースおよび前記カシメピンカバー５の外側に亘って貼付けられ、前記カシメピンカバー５が開けられると前記ＩＣタグシール９の少なくとも１箇所が破損するように構成する。【選択図】図４
2010284446.tif 000002
【特許請求の範囲】
【請求項１】
遊技を制御する制御基板を収容する制御基板ケースであり、
前記制御基板ケースの開閉を規制する少なくとも１つのカシメピンが固着されるカシメ部と、
前記カシメ部を覆う可動式のカシメピンカバーを備え、
ＩＣチップ部と送受信アンテナ部を備えたＩＣタグシールが、前記制御基板ケースおよび前記カシメピンカバーの外側に亘って貼付けられ、
前記カシメピンカバーが開けられると前記ＩＣタグシールの少なくとも１箇所が破損するように構成されている
ことを特徴とする制御基板ケース。
【請求項２】
遊技を制御する制御基板を収容する制御基板ケースであり、
前記制御基板ケースの開閉を規制する少なくとも１つのカシメピンが固着されるカシメ部と、
前記カシメ部を覆う可動式のカシメピンカバーを備え、
ＩＣチップ部と送受信アンテナ部を備えたＩＣタグシールが、前記制御基板ケースおよび前記カシメピンカバーの外側に亘って貼付けられ、
前記カシメピンカバーが開けられると前記ＩＣタグシールの複数箇所が破損するように構成されている
ことを特徴とする制御基板ケース。
【請求項３】
請求項１または請求項２において、
前記カシメピンカバーが、前記制御基板ケースの表面に沿って支持部を中心として揺動動作可能である
ことを特徴とする制御基板ケース。
【請求項４】
請求項１または請求項２において、
前記カシメピンカバーが、前記制御基板ケースの表面に対して上下方向に支持部を中心として揺動動作可能である
ことを特徴とする制御基板ケース。
【請求項５】
請求項１ないし請求項３のいずれかにおいて、
前記カシメピンカバーが、前記制御基板ケースの表面に形成されたガイドレールまたは収容溝に沿って摺動動作可能である
ことを特徴とする制御基板ケース。
【請求項６】
請求項１ないし請求項５のいずれかにおいて、
前記制御基板ケースが、ベース部材およびカバー部材の少なくとも２つ以上の部材によって構成され、
前記ＩＣタグシールが、前記制御基板ケースのカバー部材および前記カシメピンカバーの外側から前記カバー部材ならびに前記ベース部材の外側に亘って貼付けられ、
前記カシメピンカバーが、開けられると前記ＩＣタグシールの少なくとも１箇所が破損するとともに、前記制御基板ケースが開けられると前記ＩＣタグシールがさらに少なくとも１箇所が破損するように構成されている
ことを特徴とする制御基板ケース。
【請求項７】
請求項１ないし請求項６のいずれかにおいて、
前記ＩＣチップ部が両側の前記送受信アンテナ部の間に配設されるとともに、前記カシメピンカバーまたはおよび前記制御基板ケースが開けられると、前記ＩＣチップ部の両側の前記送受信アンテナ部が夫々少なくとも１箇所が破損するように構成されている
ことを特徴とする制御基板ケース。
【発明の詳細な説明】
【技術分野】
【０００１】
本発明は、遊技を制御する制御基板を収容する少なくとも１つの制御基板ケースであり、前記制御基板ケースの開閉を規制する少なくとも１つのカシメピンが固着されるカシメ部と、前記カシメ部を包囲する可動式のカシメピンカバーを備えた制御基板ケースに関するものである。
【背景技術】
【０００２】
特許文献１に記載の従来の回路基板ケースは、図１０に示されるように蓋部材及び底部材により構成され回路基板を収納する基板ケースであり、前記蓋部材と前記底部材とが当接する当接部の一部に、基板ケースの開放を禁じるための封印手段Ｓを複数個形成し、前記基板ケースの機能を損なわずに開放するために前記封印手段Ｓを好適に破壊することができる推奨破壊部位Ｒを備え、該推奨破壊部位ＲごとにＩＣ９９を配置することにより、前記封印手段Ｓが破壊されると前記ＩＣ９９が破壊されるため、読み取り装置による読み取り作業を行った場合に、封印に用いた封印手段Ｓに配置されたＩＣ９９からの情報が読み取れないことにより、基板ケースの封印手段Ｓが破壊され、不正に開封された可能性があると判断することができるものであった。
【０００３】
また従来の制御基板ケースは、該制御基板ケースにＩＣチップ部および送受信アンテナ部を備えたＩＣタグシールを貼付ける事により、該制御基板ケースが不正に開放または操作された場合に前記ＩＣタグシールが破断するとともに、前記ＩＣタグシールのＩＣチップ部または送受信アンテナ部の１箇所が破損するように構成された制御基板ケースにおいて、専用のリーダーによって該制御基板ケースへの不正開放または不正操作を検知出来るものであった。
【先行技術文献】
【特許文献】
【０００４】
【特許文献１】特開２００８−７３２７５号公報
【発明の概要】
【発明が解決しようとする課題】
【０００５】
しかしながら、従来の前記回路基板ケースは、前記推奨破壊部位Ｒに小さなＩＣ９９が配設されるものであるため、前記推奨破壊部位Ｒの破壊またはＩＣ９９の破壊が生じないように前記封印手段Ｓが破壊された場合に、前記基盤ケースが不正に開放された事を検知出来ないという問題があった。
【０００６】
また、従来の前記制御基板ケースは、該制御基板ケースへの不正開放または不正操作によって破断した前記ＩＣタグシールの１箇所を丁寧に調整することによりＩＣチップ部またはおよび送受信アンテナ部が修復された場合に、前記制御基板ケースへの不正開放または不正操作を前記専用のリーダーによって検知出来ないという問題があった。
【０００７】
そこで本発明者らは、遊技を制御する制御基板を収容する制御基板ケースであり、前記制御基板ケースの開閉を規制する少なくとも１つのカシメピンが固着されるカシメ部と、前記カシメ部を覆う可動式のカシメピンカバーを備え、ＩＣチップ部と送受信アンテナ部を備えたＩＣタグシールが、前記制御基板ケースおよび前記カシメピンカバーの外側に亘って貼付けられ、前記カシメピンカバーが開けられると前記ＩＣタグシールの少なくとも１箇所が破損するという本発明の技術的思想に着眼して、さらに研究開発を重ねた結果、前記制御基板ケース、カシメピンまたはおよびカシメ部に不正操作を加えるために前記カシメピンカバーが開けられた事を検知出来るという目的を達成する本発明に到達した。
【０００８】
また本発明者らは、遊技を制御する制御基板を収容する制御基板ケースであり、前記制御基板ケースの開閉を規制する少なくとも１つのカシメピンが固着されるカシメ部と、前記カシメ部を覆う可動式のカシメピンカバーを備え、ＩＣチップ部と送受信アンテナ部を備えたＩＣタグシールが、前記制御基板ケースおよび前記カシメピンカバーの外側に亘って貼付けられ、前記カシメピンカバーが開けられると前記ＩＣタグシールの複数箇所が破損するという本発明の技術的思想に着眼して、さらに研究開発を重ねた結果、前記制御基板ケース、カシメピンまたはおよびカシメ部に不正操作を加えるために前記カシメピンカバーが開けられた事を確実に検知するとともに、破損した前記ＩＣタグシールを丁寧に調整することによってＩＣチップ部またはおよび送受信アンテナ部を修復する事を困難なものとして、前記カシメピンカバーを開けた不正操作の証拠を隠滅する行為が行われた場合にも前記カシメピンカバーが開けられた事を検知出来るという目的を達成する本発明に到達した。
【課題を解決するための手段】
【０００９】
本発明（請求項１に記載の第１発明）の制御基板ケースは、
遊技を制御する制御基板を収容する制御基板ケースであり、
前記制御基板ケースの開閉を規制する少なくとも１つのカシメピンが固着されるカシメ部と、
前記カシメ部を覆う可動式のカシメピンカバーを備え、
ＩＣチップ部と送受信アンテナ部を備えたＩＣタグシールが、前記制御基板ケースおよび前記カシメピンカバーの外側に亘って貼付けられ、
前記カシメピンカバーが開けられると前記ＩＣタグシールの少なくとも１箇所が破損するように構成されている
ものである。
【００１０】
本発明（請求項２に記載の第２発明）の制御基板ケースは、
遊技を制御する制御基板を収容する制御基板ケースであり、
前記制御基板ケースの開閉を規制する少なくとも１つのカシメピンが固着されるカシメ部と、
前記カシメ部を覆う可動式のカシメピンカバーを備え、
ＩＣチップ部と送受信アンテナ部を備えたＩＣタグシールが、前記制御基板ケースおよび前記カシメピンカバーの外側に亘って貼付けられ、
前記カシメピンカバーが開けられると前記ＩＣタグシールの複数箇所が破損するように構成されている
ものである。
【００１１】
本発明（請求項３に記載の第３発明）の制御基板ケースは、
前記第１発明または第２発明において、
前記カシメピンカバーが、前記制御基板ケースの表面に沿って支持部を中心として揺動動作可能である
ものである。
【００１２】
本発明（請求項４に記載の第４発明）の制御基板ケースは、
前記第１発明または第２発明において、
前記カシメピンカバーが、前記制御基板ケースの表面に対して上下方向に支持部を中心として揺動動作可能である
ものである。
【００１３】
本発明（請求項５に記載の第５発明）の制御基板ケースは、
前記第１発明ないし第３発明のいずれかにおいて、
前記カシメピンカバーが、前記制御基板ケースの表面に形成されたガイドレールまたは収容溝に沿って摺動動作可能である
ものである。
【００１４】
本発明（請求項６に記載の第６発明）の制御基板ケースは、
前記第１発明ないし第５発明のいずれかにおいて、
前記制御基板ケースが、ベース部材およびカバー部材の少なくとも２つ以上の部材によって構成され、
前記ＩＣタグシールが、前記制御基板ケースのカバー部材および前記カシメピンカバーの外側から前記カバー部材ならびに前記ベース部材の外側に亘って貼付けられ、
前記カシメピンカバーが、開けられると前記ＩＣタグシールの少なくとも１箇所が破損するとともに、前記制御基板ケースが開けられると前記ＩＣタグシールがさらに少なくとも１箇所が破損するように構成されている
ものである。
【００１５】
本発明（請求項７に記載の第７発明）の制御基板ケースは、
前記第１発明ないし第６発明のいずれかにおいて、
前記ＩＣチップ部が両側の前記送受信アンテナ部の間に配設されるとともに、前記カシメピンカバーまたはおよび前記制御基板ケースが開けられると、前記ＩＣチップ部の両側の前記送受信アンテナ部が夫々少なくとも１箇所が破損するように構成されている
ものである。
【発明の効果】
【００１６】
上記構成より成る第１発明の制御基板ケースは、遊技を制御する制御基板を収容する制御基板ケースであり、前記制御基板ケースの開閉を規制する少なくとも１つのカシメピンが固着されるカシメ部と、前記カシメ部を覆う可動式のカシメピンカバーを備えた制御基板ケースにおいて、前記カシメピンカバーが開けられると、前記カシメピンカバーの開放に伴う動きにより前記制御基板ケースおよび前記カシメピンカバーの外側に亘って貼付けられたＩＣチップ部と送受信アンテナ部を備えた前記ＩＣタグシールの少なくとも１箇所が破損するので、前記制御基板ケース、カシメピンまたはおよびカシメ部に不正操作を加えるために前記カシメピンカバーが開けられた事を検知出来るという効果を奏する。
【００１７】
上記構成より成る第２発明の制御基板ケースは、遊技を制御する制御基板を収容する制御基板ケースであり、前記制御基板ケースの開閉を規制する少なくとも１つのカシメピンが固着されるカシメ部と、前記カシメ部を覆う可動式のカシメピンカバーを備えた制御基板ケースにおいて、前記カシメピンカバーが開けられると、前記カシメピンカバーの開放に伴う動きにより前記制御基板ケースおよび前記カシメピンカバーの外側に亘って貼付けられたＩＣチップ部と送受信アンテナ部を備えた前記ＩＣタグシールの複数箇所が破損するので、前記制御基板ケース、カシメピンまたはおよびカシメ部に不正操作を加えるために前記カシメピンカバーが開けられた事を確実に検知するとともに、破損した前記ＩＣタグシールを丁寧に調整することによってＩＣチップ部またはおよび送受信アンテナ部を修復する事を困難なものとして、前記カシメピンカバーを開けた不正操作の証拠を隠滅する行為が行われた場合にも前記カシメピンカバーが開けられた事を検知出来るという効果を奏する。
【００１８】
上記構成より成る第３発明の制御基板ケースは、前記第１発明または第２発明において、前記カシメピンカバーが、前記制御基板ケースの表面に沿って支持部を中心として揺動動作するので、前記カシメピンカバーの移動用スペースを少なく出来るとともに、前記制御基板ケースの面に沿ったスペースを確保するだけで、前記制御基板ケース、カシメピンまたはおよびカシメ部に不正操作を加えるために前記カシメピンカバーが開けられた事の精確な検知を可能にするという効果を奏する。
【００１９】
上記構成より成る第４発明の制御基板ケースは、前記第１発明または第２発明において、前記カシメピンカバーが、前記制御基板ケースの表面に対して上下方向に支持部を中心として揺動動作するので、前記カシメピンカバーの移動用スペースを少なく出来るとともに、前記制御基板ケースの面に対して上下方向のスペースを確保するだけで、前記制御基板ケース、カシメピンまたはおよびカシメ部に不正操作を加えるために前記カシメピンカバーが開けられた事の精確な検知を可能にするという効果を奏する。
【００２０】
上記構成より成る第５発明の制御基板ケースは、前記第１発明ないし第３発明のいずれかにおいて、前記カシメピンカバーが、前記制御基板ケースの表面に形成されたガイドレールまたは収容溝に沿って摺動動作するので、前記カシメピンカバーの動作を確実なものとするという効果を奏する。
【００２１】
上記構成より成る第６発明の制御基板ケースは、前記第１発明ないし第５発明のいずれかにおいて、前記制御基板ケースが、ベース部材およびカバー部材の少なくとも２つ以上の部材によって構成されるとともに、前記カシメピンカバーが開けられると、前記ＩＣタグシールの前記制御基板ケースのカバー部材および前記カシメピンカバーの外側に亘って貼付けられた少なくとも１箇所が破損するとともに、前記制御基板ケースが開けられると前記ＩＣタグシールの前記カバー部材ならびに前記ベース部材の外側に亘って貼付けられたさらに少なくとも１箇所が破損するので、前記カシメピンカバーおよび前記制御基板ケースの不正開放を段階的に検知出来るとともに、前記カシメピンカバーおよび前記制御基板ケースの両者の不正開放を検知出来るという効果を奏する。
【００２２】
上記構成より成る第７発明の制御基板ケースは、前記第１発明ないし第６発明のいずれかにおいて、前記ＩＣタグシールの前記ＩＣチップ部が両側の前記送受信アンテナ部の間に配設されるとともに、前記カシメピンカバーまたはおよび前記制御基板ケースが開けられると、前記ＩＣチップ部の両側の前記送受信アンテナ部が夫々少なくとも１箇所が破損するので、両側のアンテナ部の２箇所の破損により前記基板ケース、カシメピンまたはおよびカシメ部に不正操作を加えるために前記カシメピンカバーが開けられた事をさらにより確実に検知出来るという効果を奏する。
【図面の簡単な説明】
【００２３】
【図１】本発明の第１実施例の主制御基板ケースがパチンコ遊技機に配設された場合のパチンコ遊技機の裏面を示す裏面図である。
【図２】本第１実施例の主制御基板ケースを示す斜視図である。
【図３】本発明の実施例において用いるＩＣタグシールの構成を示した説明図である。
【図４】本第１実施例の主制御基板ケースにおけるカシメピンカバーが閉じられた状態、開けられた状態および再び閉じられた状態におけるＩＣタグシールの破損状態を説明するための要部拡大図である。
【図５】本発明の第２実施例の主制御基板ケースにおけるカシメピンカバーが閉じられた状態、開けられた状態および再び閉じられた状態におけるＩＣタグシールの破損状態を説明するための要部拡大斜視図である。
【図６】本発明の第３実施例の主制御基板ケースにおけるカシメピンカバーが閉じられた状態、開けられた状態および再び閉じられた状態におけるＩＣタグシールの破損状態を説明するための要部拡大図である。
【図７】本第３実施例の主制御基板ケースにおけるカシメピンカバー、カバー部材、ベース部材、カシメ部ならびにカシメピンとの位置関係およびＩＣタグシールの破損状態を説明するための図６中Ａ−Ａ線に沿う部分拡大端面図である。
【図８】本発明の第４実施例の主制御基板ケースにおけるカシメピンカバーが閉じられた状態および開けられた状態におけるＩＣタグシールの破損状態を説明するための要部拡大斜視図である。
【図９】本第４実施例の主制御基板ケースが開けられた状態およびカシメピンカバーおよび主制御基板ケースが再び閉じられた状態におけるＩＣタグシールの破損状態を説明するための要部拡大斜視図である。
【図１０】従来の回路基板ケースにおける、封印手段、推奨破壊部位およびＩＣの位置関係を説明するための展開斜視図である。
【発明を実施するための形態】
【００２４】
以下本発明の実施の形態につき実施例に基づき、図面を用いて説明する。
【実施例１】
【００２５】
本第１実施例の主制御基板ケース１は前記第１発明ないし第３発明および第７発明の実施例であり、遊技を制御する主制御基板を収容する主制御基板ケース１であり、前記主制御基板ケース１の開閉を規制する複数のカシメピン４１が固着されるカシメ部４と、前記カシメ部４を包囲するとともに前記主制御基板ケース１の表面に沿って支持部５０を中心として揺動動作可能であるカシメピンカバー５を備えた主制御基板ケース１において、ＩＣチップ部１１と送受信アンテナ部１２を備えたＩＣタグシール９が、前記主制御基板ケース１および前記カシメピンカバー５の上面の外側に亘って貼付けられ、前記カシメピンカバー５が開けられると前記ＩＣタグシール９の２箇所が破損するように構成されているものである。
【００２６】
本第１実施例の主制御基板ケース１は、図１に示されるようにパチンコ遊技機の遊技盤裏面側に配設され、遊技制御の中枢を担う制御手段としてのＣＰＵ、そのＣＰＵの制御下において所定の遊技内容を実現するための制御情報を記憶した制御用ＲＯＭおよび時々刻々変化する遊技状況に関する情報が逐次記憶されるＲＡＭなどの電子部品を含む主制御基板を収容するように構成されているものである。
なお図示しない遊技盤表面側には、遊技領域へ遊技球を打ち出す発射装置と、遊技球の流下方向を変化させる遊技釘と、遊技球が入賞する事で遊技者へ所定の賞球またはおよび特典を付与する入賞口および始動口などが配設される。
【００２７】
前記主制御基板ケース１は、図１および図２に示されるようにベース部材２およびカバー部材３と、前記主制御基板ケース１のベース部材２に対するカバー部材３の相対的移動による開閉を規制する複数のカシメピン４１が固着可能な複数のカシメ部４と、カシメ部４を覆って固着されたカシメピン４１を不正に引き離すまたは前記カシメ部４を不正に直接的に破壊する事を抑制するためのカシメピンカバー５と、ＲＷＭ消去スイッチ６およびリセットピンカバー７と、主制御基板用の照合端子８などから成り、前記カシメピン４１が抜かれて固着されていない状態において前記ベース部材２に対して前記カバー部材３を図１中左右方向の離間する方向に摺動させることにより開放するとともに、図１中左右方向に接近する方向に摺動させることにより閉鎖するように構成されている。
【００２８】
また前記主制御基板ケース１は、閉鎖された状態においては前記カバー部材３に突設された薄板矩形部３０が前記ベース部材２に形成された位置決め用の矩形開口部２０に介挿されるとともに、前記カバー部材３の側面に形成された図示しない複数の開口部が前記ベース部材２の側面に形成された図示しない複数の軸部と連結することによって規定位置関係を維持するものである。
【００２９】
図３（ａ）は、前記ＩＣタグシール９の表面を示す説明図、図３（ｂ）は、前記ＩＣタグシール９の裏面を示す説明図、図３（ｃ）は、図３（ｂ）中のＡ−Ａ線に沿って切断した断面図である。
【００３０】
前記ＩＣタグシール９は、図３（ｃ）に示すようにベースシートたる表面６０を備え、当該表面６０の背面には粘着材が塗布され粘着層６５が形成されている。また、前記ＩＣチップ部１１とその両端部に延在する前記送受信アンテナ部１２とからなる長尺矩形形状のインレットが、前記粘着層６５の対角線上の一部に位置するように配設されている。なお、ＩＣタグシール９は貼り付け箇所に貼り付けるまで、前記粘着層６５と他の物との粘着を防止するための剥離紙６４に貼り付けてある。
【００３１】
前記インレットは、図３（ｂ）に示すように、前記ＩＣチップ部１１と前記送受信アンテナ部１２より構成され、長尺状の前記送受信アンテナ部１２の中央付近に前記ＩＣチップ部１１が配置されており、当該ＩＣチップ部１１は、固有の識別番号、すなわちＩＤ等の各種情報を記憶・格納するためのメモリーを備える。
【００３２】
本第１実施例のパチンコ遊技機で用いるＩＣタグシール９は、周波数帯域２．４５ＧＨｚのパッシブ型の無線ＩＣタグを採用しており、リーダー・ライター側のアンテナから前記ＩＣタグシール９に向けて電波としてエネルギーとコマンドを送信すると、当該ＩＣタグシール９の中の前記送受信アンテナ部１２で電波を受け、この電波を前記ＩＣチップ部１１内の図示しない整流回路に送る。前記ＩＣチップ部１１は、当該整流回路において電波の高周波エネルギーを整流して直流に変換し、その電流をエネルギーとして使用するものである。
【００３３】
前記リーダー・ライター側からのコマンドが読み出し命令であれば、前記ＩＣチップ部１１は、内蔵された前記メモリーからＩＤ情報等の各種データを読み出し、前記ＩＣタグシール９の送受信アンテナ部１２からリーダー・ライター側のアンテナに向けて電波を送信し、リーダー・ライター側との通信を行うものである。
【００３４】
上述したように、前記ＩＣタグシール９が保有する各種情報は、前記ＩＣチップ部１１のメモリーに格納された情報をリーダー・ライターとの無線通信において確認する方法が採られるが、人間の目視による確認も可能にするため、必要に応じて、図３（ａ）に示すようにＩＣタグシール９の表面６０の一部に各種の情報を記載する情報記載部６６を設ける。
【００３５】
前記ＩＣタグシール９は、内部にデータを記憶する前記ＩＣチップ部１１と該ＩＣチップの両側に延在する電波の送受信を行う前記送受信アンテナ部１２とから成るＩＣタグが、前記ＩＣタグシール９の貼付面側の対角線上に配設されており、前記ＩＣタグシール９が破損していない状態においては、前記ＩＣタグシール９に向けて電波を送受信可能である専用のリーダーによって正常に読み取る事が可能なように構成されている。
【００３６】
前記カシメピンカバー５は、図１、図２および図４に示されるように前記主制御基板ケース１の前記カシメ部４に近接する部分の上面に突設された垂直軸部を構成する支持部５０によって揺動自在に係止されるとともに、前記支持部５０を中心として前記主制御基板ケース１の上面に沿って図中時計方向または半時計方向にスライド式に揺動動作可能な透過性のある薄板状のクリアプレートによって構成され、該カシメピンカバー５の揺動動作の支持部である前記支持部５０と逆側には操作用の一対の突部が形成される。
【００３７】
上記構成より成る第１実施例において、前記カシメピンカバー５が前記カシメ部４を覆う位置にセットされた状態において、前記ＩＣタグシール９が図４（ａ）にしめされるように前記主制御基板ケース１および前記カシメピンカバー５の上面の外側に貼付けられる。
【００３８】
以下において、前記主制御基板ケース１および前記カシメピンカバー５の外側に亘って前記ＩＣタグシール９を貼付けられた状態において、カシメピン４１を抜いて前記主制御基板ケース１を不正に開けるために前記カシメピンカバー５が開けられたことにより、前記ＩＣタグシール９が破損した場合において、前記主制御基板ケース１への不正操作を専用のリーダーによって検知するまでの手順を図４を用いて説明する。
【００３９】
図４（ａ）に示されるように、前記主制御基板ケース１にＣＰＵ、ＲＯＭおよびＲＡＭなどの電子部品を含む主制御基板を収容した後、図中上方の前記カシメ部４をカシメピン４１により固着すると、前記主制御基板ケース１は開放不可能な状態となる。
【００４０】
次に、前記カシメ部４を不正に破壊するまたは前記カシメピン４１を不正に引き抜く事を抑制するため、前記カシメピンカバー５を前記主制御基板ケース１と前記支持部５０において支持するとともに、前記カシメ部４および前記カシメピン４１を覆う位置にセットする事により前記カシメ部４および前記カシメピン４１を直接触れられない様にされている。
【００４１】
さらに前記カシメピンカバー５の封印シールとして前記ＩＣタグシール９が前記主制御基板ケース１および上記位置にセットされた前記カシメピンカバー５の上面の外側に亘って貼付けられる。
【００４２】
なお、図４（ａ）に示されるように前記ＩＣタグシール９は、前記ＩＣチップ部１１の両側に延在する前記送受信アンテナ１２の両側がそれぞれ前記カシメピンカバー５の輪郭と重なるとともに、両側の前記主制御基板ケース１の上面に跨るように貼付ける。
【００４３】
ここで前記主制御基板ケース１を不正に開放するために、前記カシメピン４１を引き抜くまたは前記カシメ部４を破壊しようとして前記カシメピンカバー５を前記主制御基板ケース１の上面に沿って強引に図中時計方向に揺動動作させる事により開けると、前記カシメピンカバー５の開放に伴う動きにより図４（ｂ）に示されるように前記ＩＣタグシール９が  前記カシメピンカバー５に貼付けられた部分と前記主制御基板ケース１に貼付けられた部分とが破断するので、前記ＩＣタグシール９の前記送受信アンテナ部１２の２箇所が破損する。
【００４４】
ここで、前記主制御基板ケース１を不正に開放して前記主制御基板ケース１に収容されたＣＰＵ、ＲＯＭおよびＲＡＭなどを含む電子部品を不正に取替えられるまたは不正に改造されるなどの不正操作をされた後、図４（ｃ）に示されるように前記カシメピンカバー５を再び図中半時計方向に揺動動作させる事により前記カシメ部４を覆う元の位置に戻すと、前記ＩＣタグシール９が破断されているとともに、前記送受信アンテナ部１２の２箇所が破損しているため、遊技店の従業員が前記主制御基板ケース１、前記カシメピン４１、前記カシメ部４またはおよび前記カシメピンカバー５に不正操作が加えられた事を目視によって確認出来るとともに、専用のリーダーによって確実に検知する事が出来る。
【００４５】
また、上述した図４（ｃ）に示される状態において、前記ＩＣタグシール９の破断状態によっては遊技店の従業員が前記主制御基板ケース１、前記カシメピン４１、前記カシメ部４またはおよび前記カシメピンカバー５に不正操作が加えられた可能性を目視によって確認することが困難となる場合が想定されるが、本第１実施例の主制御基板ケース１においては前記ＩＣタグシール９に前記送受信アンテナ部１２が配設されるととともに、前記カシメピンカバー５が一度開けられると前記送受信アンテナ部１２の２箇所が破損するので、専用のリーダーによって前記主制御基板ケース１、前記カシメピン４１、前記カシメ部４またはおよび前記カシメピンカバー５に不正操作が加えられた可能性を確実に検知することが出来る。
【００４６】
また、上述した図４（ｃ）に示される状態において、前記主制御基板ケース１、前記カシメピン４１、前記カシメ部４またはおよび前記カシメピンカバー５に不正操作を行った者が証拠隠滅のために前記ＩＣタグシール９の状態を前記ＩＣタグシール９が破断する前の状態に丁寧に調整した場合などにおいては、遊技店の従業員が不正操作が加えられた可能性を目視によって確認することが困難となるが、本第１実施例の主制御基板ケース１においては前記ＩＣタグシール９に前記送受信アンテナ部１２が配設されるととともに、前記カシメピンカバー５が一度開けられると前記送受信アンテナ部１２の２箇所が破損するので、専用のリーダーによって前記主制御基板ケース１、前記カシメピン４１、前記カシメ部４またはおよび前記カシメピンカバー５に不正操作が加えられた可能性を確実に検知することが出来る。
【００４７】
また、本第１実施例の主制御基板ケースにおいては前記ＩＣタグシール９に前記送受信アンテナ部１２が配設されるととともに、前記カシメピンカバー５が一度開けられると前記送受信アンテナ部１２の２箇所が破損するので、従来の制御基板ケースにおいて不正操作を行った者が証拠隠滅のためにＩＣタグシールの状態をＩＣタグシールが破断する前の状態に丁寧に調整してしまうと、前記制御基板ケースへの不正開放または不正操作を前記専用のリーダーによって検知出来ない場合があるという問題を解消して、専用のリーダーによって前記主制御基板ケース１、前記カシメピン４１、前記カシメ部４またはおよび前記カシメピンカバー５に不正操作が加えられた可能性を確実に検知することが出来る。
【００４８】
上記構成および作用の本第１実施例の主制御基板ケース１の効果について説明する。
【００４９】
上記作用を奏する本第１実施例の主制御基板ケース１は、遊技を制御する制御基板を収容する前記主制御基板ケース１であり、前記主制御基板ケース１の開閉を規制する複数のカシメピン４１が固着されるカシメ部４と、前記カシメ部４を覆う可動式のカシメピンカバー５を備えた主制御基板ケース１において、前記カシメピンカバー５が開けられると、前記カシメピンカバー５の前記主制御基板ケース１に対する相対的動きにより前記主制御基板ケース１および前記カシメピンカバー５の外側に亘って貼付けられた前記ＩＣチップ部１１と前記送受信アンテナ部１２を備えた前記ＩＣタグシール９の２箇所が破損するので、前記主制御基板ケース１、カシメピン４１またはおよびカシメ部４に不正操作を加えるために前記カシメピンカバー５が開けられた事を確実に検知するとともに、破損した前記ＩＣタグシール９を丁寧に調整することによってＩＣチップ部１１またはおよび送受信アンテナ部１２を修復する事を困難なものとして、前記カシメピンカバー５を開けた不正操作の証拠を隠滅する行為が行われた場合にも前記カシメピンカバー５が開けられた事を検知出来るという効果を奏する。
【００５０】
本第１実施例の主制御基板ケース１は、前記カシメピンカバー５が、前記主制御基板ケース１の表面に沿って前記支持部５０を中心として揺動動作するので、前記カシメピンカバー５の移動用スペースを少なく出来るとともに、前記主制御基板ケース１の面に沿ったスペースを確保するだけで、前記主制御基板ケース１、カシメピン４１またはおよびカシメ部４に不正操作を加えるために前記カシメピンカバー５が開けられた事の精確な検知を可能にするとともに、前記主制御基板ケース１の表面に対して垂直な上方向のスペースを他の用途に有効利用出来るという効果を奏する。
【００５１】
本第１実施例の主制御基板ケース１は、貼付けられた前記ＩＣタグシール９の前記ＩＣチップ部１１が両側の前記送受信アンテナ部１２の間に配設されるとともに、前記カシメピンカバー５が開けられると、前記カシメピンカバー５の前記主制御基板ケース１に対する相対的動きにより前記ＩＣチップ部１１の両側の前記送受信アンテナ部１２が夫々少なくとも１箇所が破損するので、両側のアンテナ部の２箇所の破損により前記主制御基板ケース１、カシメピン４１またはおよびカシメ部４に不正操作を加えるために前記カシメピンカバー５が開けられた事をさらにより確実に検知出来るという効果を奏する。
【００５２】
本第１実施例の主制御基板ケース１は、前記ＩＣタグシール９が前記カシメピンカバー５の封印シールとして前記主制御基板ケース１および前記カシメピンカバー５の外側に亘って貼付けられるものであるので、製造工程において前記ＩＣタグシール９を貼付けるための特殊な作業を必要とせず、製造コストを低減出来るという効果を奏する。
【００５３】
本第１実施例の主制御基板ケース１は、前記カバー部材３に突設された薄板矩形部３０が前記ベース部材２に形成された位置決め用の矩形開口部２０に介挿されるとともに、前記カバー部材３の側面に形成された図示しない複数の開口部が前記ベース部材２の側面に形成された図示しない複数の軸部と連結することによって規定位置関係を維持して開放動作および閉鎖動作が行われるので、前記主制御基板ケース１の開放動作および閉鎖動作を容易且つ確実なものとするとともに、開放動作および閉鎖動作に伴なう前記主制御基板ケース１の位置を規制することにより作用する負荷応力を軽減して前記主制御基板ケース１の破損および摩耗を防ぐという効果を奏する。
【実施例２】
【００５４】
本第２実施例の主制御基板ケース２０１は前記第１発明、第２発明、第４発明および第７発明の実施例であり、遊技を制御する主制御基板を収容する主制御基板ケース２０１であり、前記主制御基板ケース２０１の開閉を規制するカシメピン４１が固着されるカシメ部４と、前記カシメ部４を覆うとともに前記主制御基板ケース２０１の表面に対して上下方向に支持部２５０を中心として揺動動作可能であるカシメピンカバー２０５を備えた主制御基板ケース２０１において、ＩＣチップ部１１と送受信アンテナ部１２を備えたＩＣタグシール９が、前記主制御基板ケース２０１および前記カシメピンカバー２０５の上面の外側に亘って貼付けられ、前記カシメピンカバー２０５が開けられると前記送受信アンテナ部１２の２箇所が破損するように構成されているものであり、以下上述した第１実施例との相違点を中心に説明する。
【００５５】
前記カシメピンカバー２０５は、図５に示されるように前記主制御基板ケース２０１の前記カシメ部４に近接する部分の上面に水平に延在突設された支持部２５０においてその一端が前記主制御基板ケース２０１の表面に対して上下方向にのみ揺動自在に係止されるとともに、前記支持部２５０を中心として前記主制御基板ケース２０１に対して離間するまたは接近する方向に揺動動作可能な透過性のある薄板状のクリアプレートによって構成され、該カシメピンカバー２０５の揺動動作の支持部である前記支持部２５０の逆側の他端には、操作用の把手２５１が突設されるとともに、前記主制御基板ケース２０１の表面より突設された係止部材２２０により係止されるように構成されている。
【００５６】
以下において、前記主制御基板ケース２０１および前記カシメピンカバー２０５の外側に亘って前記ＩＣタグシール９を貼付けられた状態において、カシメピン４１を抜いて前記主制御基板ケース２０１を不正に開けるために前記カシメピンカバー２０５が上方に開けられたことにより、前記ＩＣタグシール９が破損した場合において、前記主制御基板ケース２０１への不正操作を専用のリーダーによって検知するまでの手順を図５を用いて説明する。
【００５７】
図５（ａ）に示されるように、前記主制御基板ケース２０１にＣＰＵ、ＲＯＭおよびＲＡＭなどの電子部品を含む主制御基板を収容した後、図中上方の前記カシメ部４をカシメピン４１により固着すると、前記主制御基板ケース２０１は開放不可能な状態となる。
【００５８】
次に、前記カシメ部４を不正に破壊するまたは前記カシメピン４１を不正に引き抜く事を抑制するため、前記カシメピンカバー２０５を前記主制御基板ケース２０１と前記支持部２５０において連結するとともに、前記カシメ部４および前記カシメピン４１を覆う位置にセットする事により前記カシメ部４および前記カシメピン４１を直接触れられない様にされている。
【００５９】
さらに前記カシメピンカバー２０５の封印シールとして前記ＩＣタグシール９が前記主制御基板ケース２０１および上記位置にセットされた前記カシメピンカバー２０５の上面の外側に亘って貼付けられる。
【００６０】
なお、図５（ａ）に示されるように前記ＩＣタグシール９は、前記ＩＣチップ部１１の両側に延在する前記送受信アンテナ１２の両端側がそれぞれ前記カシメピンカバー２０５の輪郭と重なるとともに、両側の前記主制御基板ケース２０１の上面に跨るように貼付ける。
【００６１】
ここで前記主制御基板ケース２０１を不正に開放するために、前記カシメピン４１を引き抜くまたは前記カシメ部４を破壊しようとして前記カシメピンカバー２０５を強引に前記主制御基板ケース２０１に対して離間する方向に揺動動作させる事により開けると、前記カシメピンカバー２０５の開放に伴う動きにより図５（ｂ）に示されるように前記ＩＣタグシール９が  前記カシメピンカバー２０５に貼付けられた部分と前記主制御基板ケース２０１に貼付けられた部分とに破断するとともに、前記ＩＣタグシール９に配設された前記送受信アンテナ部１２の２箇所が破損する。
【００６２】
ここで、前記主制御基板ケース２０１を不正に開放して前記主制御基板ケース２０１に収容されたＣＰＵ、ＲＯＭおよびＲＡＭなどを含む電子部品を不正に取替えられるまたは不正に改造されるなどの不正操作をされた後、図５（ｃ）に示されるように前記カシメピンカバー２０５を再び前記主制御基板ケース２０１に対して接近する方向に揺動動作させる事により前記カシメ部４を覆う元の位置に戻すと、前記ＩＣタグシール９が破断されているとともに、前記送受信アンテナ部１２の２箇所が破損しているため、遊技店の従業員が前記主制御基板ケース２０１、前記カシメピン４１、前記カシメ部４またはおよび前記カシメピンカバー２０５に不正操作が加えられた事を目視によって確認出来るとともに、専用のリーダーによって確実に検知する事が出来る。
【００６３】
上記構成および作用の本第２実施例の主制御基板ケース２０１の効果について説明する。
【００６４】
上記作用を奏する本第２実施例の主制御基板ケース２０１は、遊技を制御する制御基板を収容する前記主制御基板ケース２０１であり、前記主制御基板ケース２０１の開閉を規制する複数のカシメピン４１が固着されるカシメ部４と、前記カシメ部４を覆う可動式のカシメピンカバー２０５を備えた主制御基板ケース２０１において、前記カシメピンカバー２０５が開けられると、前記カシメピンカバー２０５の開放に伴う動きにより前記主制御基板ケース２０１および前記カシメピンカバー２０５の外側に亘って貼付けられた前記ＩＣチップ部１１と前記送受信アンテナ部１２を備えた前記ＩＣタグシール９の２箇所が破損するので、前記主制御基板ケース２０１、カシメピン４１またはおよびカシメ部４に不正操作を加えるために前記カシメピンカバー２０５が開けられた事を確実に検知するとともに、破損した前記ＩＣタグシール９を丁寧に調整することによってＩＣチップ部１１またはおよび送受信アンテナ部１２を修復する事を困難なものとして、前記カシメピンカバー２０５を開けた不正操作の証拠を隠滅する行為が行われた場合にも前記カシメピンカバー２０５が開けられた事を検知出来るという効果を奏する。  
【００６５】
本第２実施例の主制御基板ケース２０１は、前記カシメピンカバー２０５が、前記主制御基板ケース２０１の表面に対して上下方向に前記支持部２５０を中心として揺動動作するので、前記カシメピンカバー２０５の幅方向の両側の前記ＩＣタグシール９の破断部の破断状態を一様に出来るという効果を奏するとともに、前記カシメピンカバー２０５の移動用スペースを少なく出来るとともに、前記主制御基板ケース２０１の面に対して上下方向のスペースを確保するだけで、前記主制御基板ケース２０１、カシメピン４１またはおよびカシメ部４に不正操作を加えるために前記カシメピンカバー２０５が開けられた事の精確な検知を可能にするとともに、前記主制御基板ケース２０１の面に沿ったスペースを他の用途に有効利用出来るという効果を奏する。
【００６６】
本第２実施例の主制御基板ケース２０１は、貼付けられた前記ＩＣタグシール９の前記ＩＣチップ部１１が両側の前記送受信アンテナ部１２の間に配設されるとともに、前記カシメピンカバー２０５が開けられると、前記カシメピンカバー２０５の前記主制御基板ケース２０１に対する相対的移動により前記ＩＣチップ部１１の両側の前記送受信アンテナ部１２が夫々少なくとも１箇所が破損するので、両側のアンテナ部の２箇所の破損により前記主制御基板ケース２０１、カシメピン４１またはおよびカシメ部４に不正操作を加えるために前記カシメピンカバー２０５が開けられた事をさらにより確実に検知出来るという効果を奏する。
【００６７】
本第２実施例の主制御基板ケース２０１は、前記ＩＣタグシール９が前記カシメピンカバー２０５の封印シールとして前記主制御基板ケース２０１および前記カシメピンカバー２０５の外側に亘って貼付けられるので、製造工程において前記ＩＣタグシール９を貼付けるための特殊な作業を必要とせず製造コストを低減出来るという効果を奏する。
【実施例３】
【００６８】
本第３実施例のパチンコ遊技機は前記第１発明、第２発明、第５発明および第７発明の実施例であり、遊技を制御する主制御基板を収容する主制御基板ケース３０１であり、前記主制御基板ケース３０１の開閉を規制する複数のカシメピン４１が固着されるカシメ部３０４と、前記カシメ部３０４を包囲するとともに前記主制御基板ケース３０１の表面に凹設された収容溝３６０に沿って摺動動作可能であるカシメピンカバー３０５を備えた主制御基板ケース３０１において、ＩＣチップ部１１と送受信アンテナ部１２を備えたＩＣタグシール９が、前記主制御基板ケース３０１および前記カシメピンカバー３０５の上面の外側に亘って貼付けられ、前記カシメピンカバー３０５が直線的に移動され開けられると前記カシメピンカバー３０５の直線的移動により前記送受信アンテナ１２の２箇所が破損するように構成されているものである。以下上述した第１実施例および第２実施例との相違点を中心に説明する。
【００６９】
前記主制御基板ケース３０１は、ベース部材２およびカバー部材３０２等によって構成され、前記カシメピン４１が抜かれて固着されていない状態において前記ベース部材２に対して前記カバー部材３０３を図６中左右方向の離間する方向に摺動させることにより開放するとともに、図６中左右方向に接近する方向に摺動させることにより閉鎖するように構成されている。
【００７０】
前記カバー部材３０３は、図６および図７に示されるように上面の前記カシメ部３０４付近において前記カシメ部３０４およびカシメピン４１への不正操作を抑制するための前記カシメピンカバー３０５を収容して図６中上下方向すなわち前記主制御基板ケース３０１の表面に沿って前記主制御基板ケース３０１の幅方向（短軸方向）に摺動可能とする逆Ｖ字状の傾斜面３６１を備えた収容溝３６０が形成されている。
【００７１】
前記カシメピンカバー３０５は、図６および図７に示されるように前記主制御基板ケース３０１の前記カシメ部３０４に近接する部分の上面に一定範囲に亘って形成された収容溝３６０内に摺動自在に介挿されるとともに、前記収容溝３６０に沿って図６中上下方向に往復動作可能な透過性のある幅方向両側に傾斜面３６２が形成された薄板状のクリアプレートによって構成され、該カシメピンカバー３０５の一方端には操作用の突部３５０が突設される。
【００７２】
以下において、前記主制御基板ケース３０１の前記カバー部材３０３および前記カシメピンカバー３０５の外側に亘って前記ＩＣタグシール９を貼付けられた状態において、カシメピン４１を抜いて前記主制御基板ケース３０１を不正に開けるために前記カシメピンカバー３０５が開けられたことによる前記カシメピンカバー３０５の前記主制御基板ケース３０１に対する相対的な移動により、前記ＩＣタグシール９の前記送受信アンテナ部１２が破損した場合において、前記主制御基板ケース３０１への不正操作を専用のリーダーによって検知するまでの手順を図６および図７を用いて説明する。
【００７３】
図６（ａ）および図７（ａ）に示されるように、前記主制御基板ケース３０１にＣＰＵ、ＲＯＭおよびＲＡＭなどの電子部品を含む主制御基板を収容した後、図中上方の前記カシメ部３０４をカシメピン４１により固着すると、前記主制御基板ケース３０１は開放不可能な状態となる。
【００７４】
次に、前記カシメ部３０４を不正に破壊するまたは前記カシメピン４１を不正に引き抜く事を抑制するため、前記カシメピンカバー３０５を前記カバー部材３０３に形成された前記収容溝３６０に収容するとともに、前記カシメ部３０４および前記カシメピン４１を覆う位置にセットする事により前記カシメ部３０４および前記カシメピン４１を直接触れられない様にされている。
【００７５】
さらに、図６（ａ）および図７（ａ）に示されるように前記ＩＣタグシール９が前記カシメピンカバー３０５の封印シールとして前記主制御基板ケース３０１の前記カバー部材３０３および上記位置にセットされた前記カシメピンカバー３０５の上面の外側に亘って貼付けられる。
【００７６】
なお、図６（ａ）に示されるように前記ＩＣタグシール９は、前記ＩＣチップ部１１の両側に延在する前記送受信アンテナ１２の両側がそれぞれ前記カシメピンカバー３０５と前記主制御基板ケース３０１のカバー部材３０３との境界線に重なるとともに、両側の前記主制御基板ケース３０１のカバー部材３０３の上面に跨るように貼付けられる。
【００７７】
ここで前記主制御基板ケース３０１を不正に開放するために、前記カシメピン４１を引き抜くまたは前記カシメ部３０４を破壊しようとして前記カシメピンカバー３０５を前記収容溝３６０に沿って強引に図６中上方向に摺動動作させる事により開けると、前記カシメピンカバー３０５の前記主制御基板ケース３０１に対する相対的移動により図６（ｂ）および図７（ｂ）に示されるように前記ＩＣタグシール９が  前記カシメピンカバー３０５に貼付けられた部分と前記主制御基板ケース３０１の前記カバー部材３０３に貼付けられた部分とに破断するとともに、前記ＩＣタグシール９に配設された前記送受信アンテナ部１２の２箇所が破損する。
【００７８】
ここで、前記主制御基板ケース３０１を不正に開放して前記主制御基板ケース３０１に収容されたＣＰＵ、ＲＯＭおよびＲＡＭなどを含む電子部品を不正に取替えられるまたは不正に改造されるなどの不正操作をされた後、図６（ｃ）および図７（ｃ）に示されるように前記カシメピンカバー３０５を再び図６中下方向に摺動動作させる事により前記カシメ部３０４を覆う元の位置に戻すと、前記ＩＣタグシール９が破断されているとともに、前記送受信アンテナ部１２の２箇所が破損しているため、遊技店の従業員が前記主制御基板ケース３０１、前記カシメピン４１、前記カシメ部３０４またはおよび前記カシメピンカバー３０５に不正操作が加えられた事を目視によって確認出来るとともに、専用のリーダーによって確実に検知する事が出来る。
【００７９】
上記構成および作用の本第３実施例の主制御基板ケースの効果について説明する。
【００８０】
上記作用を奏する本第３実施例の主制御基板ケース３０１は、遊技を制御する制御基板を収容する前記主制御基板ケース３０１であり、前記主制御基板ケース３０１の開閉を規制する複数のカシメピン４１が固着されるカシメ部３０４と、前記カシメ部３０４を覆う可動式のカシメピンカバー３０５を備えた主制御基板ケース３０１において、前記カシメピンカバー３０５が開けられると、前記カシメピンカバー３０５の前記主制御基板ケース３０１に対する相対的移動により前記主制御基板ケース３０１および前記カシメピンカバー３０５の外側に亘って貼付けられた前記ＩＣチップ部１１と前記送受信アンテナ部１２を備えた前記ＩＣタグシール９の２箇所が破損するので、前記主制御基板ケース３０１、カシメピン４１またはおよびカシメ部３０４に不正操作を加えるために前記カシメピンカバー３０５が開けられた事を確実に検知するとともに、破損した前記ＩＣタグシール９を丁寧に調整することによってＩＣチップ部１１またはおよび送受信アンテナ部１２を修復する事を困難なものとして、前記カシメピンカバー３０５を開けた不正操作の証拠を隠滅する行為が行われた場合にも前記カシメピンカバー３０５が開けられた事を検知出来るできるという効果を奏する。
【００８１】
本第３実施例の主制御基板ケース３０１は、前記カシメピンカバー３０５が、前記主制御基板ケース３０１の表面に形成された直線状の収容溝３６０に沿って摺動動作するので、前記カシメピンカバー３０５の動作を確実なものとして、前記カシメピンカバー３０５の幅方向の両側の前記ＩＣタグシール９の２箇所の破断部の破断状態を一様かつ確実にすることが出来るという効果を奏するとともに、埋設型の前記カシメピンカバー３０５が前記主制御基板ケース３０１のカバー部材３０３と面一に構成されるので、突出している部分との干渉が無いとともに、前記主制御基板ケース３０１の上面の上に前記カシメピンカバー３０５の移動用スペースを確保する必要無く前記主制御基板ケース３０１、カシメピン４１またはおよびカシメ部３０４に不正操作を加えるために前記カシメピンカバー３０５が開けられた事の精確な検知を可能にするという効果を奏する。また、前記カシメピンカバー３０５が前記主制御基板ケース３０１の収容溝３６０に収容されているので、前記カシメピンカバー３０５への不正な操作を抑制出来るという効果を奏する。  
【００８２】
本第３実施例の主制御基板ケース３０１は、貼付けられた前記ＩＣタグシール９の前記ＩＣチップ部１１が両側の前記送受信アンテナ部１２の間に配設されるとともに、前記カシメピンカバー３０５が開けられると、前記カシメピンカバー３０５の前記主制御基板ケース３０１に対する相対的移動により前記ＩＣチップ部１１の両側の前記送受信アンテナ部１２が夫々少なくとも１箇所が破損するので、両側のアンテナ部の２箇所の破損により前記主制御基板ケース３０１、カシメピン４１またはおよびカシメ部３０４に不正操作を加えるために前記カシメピンカバー３０５が開けられた事をさらにより確実に検知出来るという効果を奏する。
【００８３】
本第３実施例の主制御基板ケース３０１は、前記ＩＣタグシール９が前記カシメピンカバー３０５の封印シールとして前記主制御基板ケース３０１および前記カシメピンカバー３０５の外側に亘って貼付けられるので、製造工程において前記ＩＣタグシール９を貼付けるための特殊な作業を必要とせず製造コストを低減出来るという効果を奏する。
【実施例４】
【００８４】
本第４実施例の主制御基板ケース４０１は前記第１発明、第３発明、第６発明および第７発明の実施例であり、遊技を制御する主制御基板を収容する前記主制御基板ケース４０１であり、ベース部材２およびカバー部材３によって構成され、前記主制御基板ケース４０１の開閉を規制する複数のカシメピン４１が固着されるカシメ部４と、前記カシメ部４を包囲するとともに前記主制御基板ケース４０１の表面に沿って支持部５０を中心として揺動動作可能であるカシメピンカバー５を備えた主制御基板ケース４０１において、ＩＣチップ部４１１と送受信アンテナ部４１２を備えたＩＣタグシール４０９が、前記主制御基板ケース４０１のカバー部材３および前記カシメピンカバー５の上面の外側から前記カバー部材３ならびに前記ベース部材２の外側に跨って貼付けられとともに、前記カシメピンカバー５が開けられると前記ＩＣタグシール４０９の１箇所が破損するとともに、前記主制御基板ケース４０１が開けられると前記ＩＣタグシール４０９がさらに１箇所が破損するように構成されているものである。
【００８５】
上記構成より成る第４実施例において、前記カシメピンカバー５が前記カシメ部４を覆う位置にセットされた状態において、前記ＩＣタグシール４０９が図８（ａ）に示されるように前記主制御基板ケース４０１のカバー部材３および前記カシメピンカバー５の上面の外側から前記カバー部材３ならびに前記ベース部材２の外側に跨って貼付けられる。
【００８６】
以下において、前記主制御基板ケース４０１のカバー部材３および前記カシメピンカバー５の上面の外側から前記カバー部材３ならびに前記ベース部材２の外側に亘って貼付けられた状態において、カシメピン４１を抜いて前記主制御基板ケース４０１を不正に開けるために前記カシメピンカバー５が開けられたことにより、前記ＩＣタグシール４０９が１箇所破損するとともに、前記主制御基板ケース４０１が不正に開けられたことにより、前記ＩＣタグシール４０９がさらに１箇所破損した場合において、前記主制御基板ケース４０１への不正操作を専用のリーダーによって検知するまでの手順を図８および図９を用いて説明する。
【００８７】
図８（ａ）に示されるように、前記主制御基板ケース４０１にＣＰＵ、ＲＯＭおよびＲＡＭなどの電子部品を含む主制御基板を収容した後、図中上方の前記カシメ部４をカシメピン４１により固着すると、前記主制御基板ケース４０１は開放不可能な状態となる。
【００８８】
次に、前記カシメ部４を不正に破壊するまたは前記カシメピン４１を不正に引き抜く事を抑制するため、前記カシメピンカバー５を前記主制御基板ケース４０１と前記支持部５０において支持するとともに、前記カシメ部４および前記カシメピン４１を覆う位置にセットする事により前記カシメ部４および前記カシメピン４１を直接触れられない様にされている。
【００８９】
さらに前記カシメピンカバー５の封印シールとして前記ＩＣタグシール４０９が前記主制御基板ケース４０１のカバー部材３および上記位置にセットされた前記カシメピンカバー５の上面の外側から前記カバー部材３ならびに前記ベース部材２の外側に跨って貼付けられる。
【００９０】
なお、図８（ａ）に示されるように前記ＩＣタグシール４０９は、前記ＩＣチップ部４１１の両側に延在する前記送受信アンテナ４１２の片側が前記カシメピンカバー５の輪郭と重なるとともに、もう片側が前記カバー部材３ならびに前記ベース部材２の境界部分と重なるように貼付けられる。
【００９１】
ここで前記主制御基板ケース４０１を不正に開放するために、前記カシメピン４１を引き抜くまたは前記カシメ部４を破壊しようとして前記カシメピンカバー５を前記主制御基板ケース４０１の上面に沿って強引に図中時計方向に揺動動作させる事により開けると、前記カシメピンカバー５の前記主制御基板ケース４０１に対する相対的移動により図８（ｂ）に示されるように前記ＩＣタグシール４０９が前記カシメピンカバー５に貼付けられた部分と前記主制御基板ケース４０１に貼付けられた部分とに破断するとともに、前記ＩＣタグシール４０９の前記送受信アンテナ部４１２の１箇所が破損する。
【００９２】
さらに、図８（ｂ）に示されるように前記カシメピンカバー５が開けられた状態において、前記カシメピン４１を引き抜くまたは前記カシメ部４を破壊などして前記主制御基板ケース４０１を開放可能な状態にしたのち、前記カバー部材３および前記ベース部材２を相対的に移動させることにより前記主制御基板ケース４０１を開けると、図９（ａ）に示されるように前記ＩＣタグシール４０９が前記カバー部材３に貼付けられた部分と前記ベース部材２に貼付けられた部分とに破断するとともに、前記ＩＣタグシール４０９の前記送受信アンテナ部４１２の、前記カシメピンカバー５が開けられた際に破損した１箇所とは別の１箇所がさらに破損する。
【００９３】
ここで、前記主制御基板ケース４０１を不正に開放して前記主制御基板ケース４０１に収容されたＣＰＵ、ＲＯＭおよびＲＡＭなどを含む電子部品を不正に取替えられるまたは不正に改造されるなどの不正操作をされた後、図９（ｂ）に示されるように、前記カバー部材３および前記ベース部材２を相対的に移動させることにより前記主制御基板ケース４０１を閉じるとともに、前記カシメピンカバー５を再び図中半時計方向に揺動動作させる事により前記カシメ部４を覆う元の位置に戻すと、前記ＩＣタグシール４０９が破断されているとともに、前記送受信アンテナ部４１２の合計２箇所が破損しているため、遊技店の従業員が前記主制御基板ケース４０１、前記カシメピン４１、前記カシメ部４またはおよび前記カシメピンカバー５に不正操作が加えられた事を目視によって確認出来るとともに、専用のリーダーによって確実に検知する事が出来る。
【００９４】
また、本第４実施例の主制御基板ケース４０１においては前記カシメピンカバー５が開けられた際に破損する前記ＩＣタグシール４０９の箇所と、前記主制御基板ケース４０１が開けられた際に破損する前記ＩＣタグシール４０９の箇所が異なるため、前記主制御基板ケース４０１、前記カシメピン４１、前記カシメ部４またはおよび前記カシメピンカバー５に不正操作が加えられた可能性を目視によって段階的に確認することが出来る。
【００９５】
また、上述した図９（ｂ）に示される状態において、前記ＩＣタグシール９の破断状態によっては遊技店の従業員が前記主制御基板ケース４０１、前記カシメピン４１、前記カシメ部４またはおよび前記カシメピンカバー５に不正操作が加えられた可能性を目視によって確認することが困難となる場合が想定されるが、本第４実施例の主制御基板ケース４０１においては、前記ＩＣタグシール４０９に前記送受信アンテナ部４１２が配設されるととともに、前記カシメピンカバー５が一度開けられると前記送受信アンテナ部４１２の１箇所が破損するので、専用のリーダーによって前記主制御基板ケース４０１、前記カシメピン４１、前記カシメ部４またはおよび前記カシメピンカバー５に不正操作が加えられた可能性を検知することが出来る。
さらに、本第４実施例の主制御基板ケース４０１においては、前記ＩＣタグシール４０９に前記送受信アンテナ部４１２が配設されるととともに、前記主制御基板ケース４０１が一度開けられると前記送受信アンテナ部４１２の１箇所が破損するので、専用のリーダーによって前記主制御基板ケース４０１、前記カシメピン４１、前記カシメ部４またはおよび前記カシメピンカバー５に不正操作が加えられた可能性を検知することが出来る。
【００９６】
また、上述した図９（ｂ）に示される状態において、前記主制御基板ケース４０１、前記カシメピン４１、前記カシメ部４またはおよび前記カシメピンカバー５に不正操作を行った者が証拠隠滅のために前記ＩＣタグシール４０９の状態を前記ＩＣタグシール４０９が破断する前の状態に丁寧に調整した場合などにおいては、遊技店の従業員が不正操作が加えられた可能性を目視によって確認することが困難となるが、本第４実施例の主制御基板ケース４０１においては前記ＩＣタグシール４０９に前記送受信アンテナ部４１２が配設されるととともに、前記カシメピンカバー５が一度開けられると前記送受信アンテナ部４１２の１箇所が破損するとともに、前記主制御基板ケース４０１が一度開けられると前記送受信アンテナ部４１２のさらに１箇所が破損するので、専用のリーダーによって前記主制御基板ケース４０１、前記カシメピン４１、前記カシメ部４またはおよび前記カシメピンカバー５に不正操作が加えられた可能性を確実に検知することが出来る。
【００９７】
また、本第４実施例の主制御基板ケースにおいては前記ＩＣタグシール４０９に前記送受信アンテナ部４１２が配設されるととともに、前記カシメピンカバー５および前記主制御基板ケース４０１が一度開けられると前記送受信アンテナ部４１２の２箇所が破損するので、従来の制御基板ケースにおいて不正操作を行った者が証拠隠滅のためにＩＣタグシールの状態をＩＣタグシールが破断する前の状態に丁寧に調整してしまうと、前記制御基板ケースへの不正開放または不正操作を前記専用のリーダーによって検知出来ない場合があるという問題を解消して、専用のリーダーによって前記主制御基板ケース４０１、前記カシメピン４１、前記カシメ部４またはおよび前記カシメピンカバー５に不正操作が加えられた可能性を確実に検知することが出来る。
【００９８】
上記構成および作用の本第４実施例の主制御基板ケース４０１の効果について説明する。
【００９９】
上記作用を奏する本第４実施例の主制御基板ケース４０１は、遊技を制御する制御基板を収容する前記主制御基板ケース４０１であり、前記主制御基板ケース４０１の開閉を規制する複数のカシメピン４１が固着されるカシメ部４と、前記カシメ部４を覆う可動式の前記カシメピンカバー５を備えた主制御基板ケース４０１において、前記カシメピンカバー５が開けられると、前記カシメピンカバー５の前記主制御基板ケース４０１に対する相対的移動により前記主制御基板ケース４０１および前記カシメピンカバー５の外側に亘って貼付けられたＩＣチップ部４１１と送受信アンテナ部４１２を備えた前記ＩＣタグシール４０９の少なくとも１箇所が破損するので、前記主制御基板ケース４０１、カシメピン４１またはおよびカシメ部４に不正操作を加えるために前記カシメピンカバー５が開けられた事を検知できるという効果を奏する。
【０１００】
本第４実施例の主制御基板ケース４０１は、前記カシメピンカバー５が、前記主制御基板ケース４０１の表面に沿って前記支持部５０を中心として揺動動作するので、前記カシメピンカバー５の移動用スペースを少なく出来るとともに、前記主制御基板ケース４０１の面に沿ったスペースを確保するだけで、前記主制御基板ケース４０１、カシメピン４１またはおよびカシメ部４に不正操作を加えるために前記カシメピンカバー５が開けられた事の精確な検知を可能にするとともに、前記主制御基板ケース４０１の表面に対して垂直な上方向のスペースを他の用途に有効利用出来るという効果を奏する。
【０１０１】
本第４実施例の主制御基板ケース４０１は、ベース部材２およびカバー部材３の２つの部材によって構成されるとともに、前記カシメピンカバー５が開けられると、前記ＩＣタグシール４０９の前記主制御基板ケース４０１のカバー部材３および前記カシメピンカバー５の外側に亘って貼付けられた１箇所が破損するとともに、前記カバー部材３と前記ベース部材２の相対的移動により前記主制御基板ケース４０１が開けられると前記ＩＣタグシール９の前記カバー部材３ならびに前記ベース部材２の外側に亘って貼付けられたさらに１箇所が破損するので、前記カシメピンカバー５および前記主制御基板ケース４０１の不正開放を段階的に検知出来るとともに、前記カシメピンカバー５および前記主制御基板ケース４０１の両者の不正開放を検知出来るという効果を奏する。
【０１０２】
本第４実施例の主制御基板ケース４０１は、貼付けられた前記ＩＣタグシール４０９の前記ＩＣチップ部４１１が両側の前記送受信アンテナ部４１２の間に配設されるとともに、前記カシメピンカバー５またはおよび前記主制御基板ケース４０１が開けられると、前記カシメピンカバー５の前記主制御基板ケース４０１に対する相対的移動により前記ＩＣチップ部４１１の両側の前記送受信アンテナ部４１２が夫々少なくとも１箇所が破損するので、両側のアンテナ部の２箇所の破損により前記主制御基板ケース４０１、カシメピン４１またはおよびカシメ部４に不正操作を加えるために前記カシメピンカバー５および前記主制御基板ケース４０１が開けられた事がともに検知されたことにより、不正開放を確実に検知するとともに、破損した前記ＩＣタグシール４０９を丁寧に調整することによってＩＣチップ部４１１またはおよび送受信アンテナ部４１２を修復する事を困難なものとして、前記カシメピンカバー５を開けた不正操作の証拠を隠滅する行為が行われた場合にも前記カシメピンカバー５が開けられた事を検知出来るという効果を奏する。
【０１０３】
本第４実施例の主制御基板ケース４０１は、前記ＩＣタグシール４０９が前記カシメピンカバー５および前記主制御基板ケース４０１の封印シールとして前記主制御基板ケース４０１のカバー部材３および前記カシメピンカバー５の上面の外側から前記カバー部材３ならびに前記ベース部材２の外側に亘って貼付けられるので、製造工程において前記ＩＣタグシール９を貼付けるための特殊な作業を必要とせず製造コストを低減出来るという効果を奏する。
【０１０４】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１０５】
本第１実施例ないし第３実施例の主制御基板ケース１、２０１または３０１においては、前記カシメピンカバー５、２０５または３０５が開けられると、前記ＩＣチップ部１１の両側の前記送受信アンテナ部１２が夫々少なくとも１箇所が破損する構成について説明したが、本発明はこれらに限定されるものではなく、前記カシメピンカバー５、２０５および３０５の開放動作に基づき前記ＩＣチップ部１１の片側の２箇所が破損する形態を採用することが出来るとともに、前記ＩＣチップ部１１または前記送受信アンテナ部１２の１箇所または３箇所以上が破損する形態を採用することが出来る。
【０１０６】
本第１実施例ないし第４実施例の主制御基板ケース１、２０１、３０１または４０１においては、前記カシメ部４または３０４および前記カシメピンカバー５、２０５または３０５を前記主制御基板ケース１、２０１、３０１または４０１に配設するとともに前記ＩＣタグシール９または４０９を前記主制御基板ケース１、２０１、３０１または４０１に貼付けた例について説明したが、本発明はこれらに限定されるものではなく、前記カシメ部４または３０４および前記カシメピンカバー５、２０５または３０５をその他の基板ケースに配設するとともに前記ＩＣタグシール９または４０９を該その他の基板ケースに貼付けた形態を採用することが出来るとともに、複数の基板ケースに前記カシメ部４または３０４および前記カシメピンカバー５、２０５または３０５を配設するとともに前記ＩＣタグシール９または４０９を貼付ける形態を採用することが出来る。
【０１０７】
本第１実施例ないし第４実施例の主制御基板ケース１、２０１、３０１または４０１においては、前記主制御基板ケース１、２０１、３０１または４０１は前記ベース部材２およびカバー部材３または３０３を図１中左右方向の離間する方向に摺動させることにより開放するとともに、図１中左右方向に接近する方向に摺動させることにより閉鎖する例について説明したが、本発明はこれらに限定されるものではなく、前記ベース部材２およびカバー部材３または３０３の一端が連結されるとともに他端を離間および接近させることにより開放するおよび閉鎖する形態を採用することが出来るものである。また、前記主制御基板ケース１、２０１、３０１または４０１の形態は上述したものに限定されず、開口自在な開口部を備えた一体的な部材によって構成する形態を採用することも出来ものであり、本発明の効果を有効的に実現するに範囲内において適宜選択出来るものである。
【０１０８】
本第１実施例ないし第４実施例の主制御基板ケース１、２０１、３０１または４０１においては、前記カシメピンカバー５、２０５または３０５を可視性を確保するために透過性のある薄板状のクリアプレートによって構成する例について説明したが、本発明はこれらに限定されるものではなく、前記カシメピンカバー５、２０５または３０５を不透過性の素材によって構成して不可視のカシメピンカバーの形態を採用することが出来るとともに、前記カシメピンカバー５、２０５または３０５をはじめ前記主制御基板ケース１、２０１、３０１または４０１などの構成については本発明の効果を有効的に実現するにあたって適宜選択出来るものである。
【０１０９】
本第１実施例ないし第４実施例の主制御基板ケース１、２０１、３０１または４０１においては、前記主制御基板ケース１、２０１、３０１または４０１が２つの前記カシメ部４または３０４を備えた例について説明したが、本発明はこれらに限定されるものではなく、前記主制御基板ケース１、２０１、３０１または４０１が前記カシメ部４または３０４を３つまたは４つ以上備える形態を採用することが出来るとともに、前記主制御基板ケース１、２０１、３０１または４０１が備える前記カシメ部４または３０４の数については本発明の効果を有効的に実現するにあたって適宜選択出来るものである。
【０１１０】
また、本第１実施例ないし第４実施例の主制御基板ケース１、２０１、３０１または４０１においては、１つのカシメピン４１を固着することにより、前記主制御基板ケース１、２０１、３０１または４０１を開放不可能な状態にしたが、本発明はこれに限定されるものではなく、複数のカシメピン４１を固着することにより前記主制御基板ケース１、２０１、３０１または４０１を開放不可能に封印する形態を採用することが出来るものである。
【０１１１】
上述した第１実施例ないし第４実施例においては、前記ＩＣチップ部１１または４１１および送受信アンテナ部１２または４１２から構成されるＩＣタグをシールに実装させたＩＣタグシール９または４０９を用いる例について説明したが、本発明はこれらに限定されるものではなく、趣旨を逸脱しない範囲で、インレット単体を配設したり、ＩＣカードを実装させる態様にも適用可能である。さらに、パッシブ型のＩＣタグに限らず、セミパッシブやアクティブ型のＩＣタグの採用も可能である。
【産業上の利用可能性】
【０１１２】
遊技を制御する制御基板を収容する制御基板ケースであり、前記制御基板ケースの開閉を規制する少なくとも１つのカシメピンが固着されるカシメ部と、前記カシメ部を覆う可動式のカシメピンカバーを備え、ＩＣチップ部と送受信アンテナ部を備えたＩＣタグシールが、前記制御基板ケースおよび前記カシメピンカバーの外側に亘って貼付けられ、前記カシメピンカバーが開けられると前記ＩＣタグシールの少なくとも１箇所が破損するので、前記制御基板ケース、カシメピンまたはおよびカシメ部に不正操作を加えるために前記カシメピンカバーが開けられた事を検知できるという用途に適用できる。
【符号の説明】
【０１１３】
１、２０１、３０１および４０１  主制御基板ケース
２  ベース部材
３および３０３  カバー部材
４および３０４  カシメ部
５、２０５および３０５  カシメピンカバー
６  ＲＡＭ消去スイッチ
７  リセットピンカバー
８  照合端子
９および４０９  ＩＣタグシール
１１および４１１  ＩＣチップ部
１２および４１２  送受信アンテナ部
２０  矩形開口部
３０および３３０  薄板矩形部
５０および２５０  支持部
６０  表面
６４  剥離紙
６５  粘着層
６６  情報記載部
９９  ＩＣ
２５１  把手
３５１  突部
３６０  収容溝
３６１および３６２  傾斜面
Ｒ  推奨破壊部位
Ｓ  封印手段
【図１】
2010284446.tif 000003
【図２】
2010284446.tif 000004
【図３】
2010284446.tif 000005
【図４】
2010284446.tif 000006
【図５】
2010284446.tif 000007
【図６】
2010284446.tif 000008
【図７】
2010284446.tif 000009
【図８】
2010284446.tif 000010
【図９】
2010284446.tif 000011
【図１０】
2010284446.tif 000012